(57)【要約】【課題】就床時の生体信号を検出するように構成された生体信号検出装置において、安価な構成で寝姿を検出可能とする。【解決手段】受圧ユニット４０の左右両側に感圧チューブ２２Ｌ、２２Ｒが配置された構成とする。その際、受圧ユニット４０は、ダイヤフラムの両側に第１および第２収音孔が形成されたマイクロホンユニットで構成する。左側の感圧チューブ２２Ｌは、その右端部において受圧ユニット４０に装着して第１収音孔と連通させ、右側の感圧チューブ２２Ｒは、その左端部において受圧ユニット４０に装着して第２収音孔と連通させる。そして、ベッド２の左右２箇所に配置された感圧チューブ２２Ｌ、２２Ｒの内圧変化を検出することにより、単一のマイクロホンユニットで、管理対象者４の生体信号と共にその寝姿（具体的には寝返り等の有無）を検出可能とする。【選択図】図２
2016179036.tif 000002
【特許請求の範囲】
【請求項１】
感圧チューブと該感圧チューブに装着された受圧ユニットとを備え、上記感圧チューブを寝床に配置した状態で該感圧チューブの内圧変化を上記受圧ユニットで検出することにより就床時の生体信号を検出するように構成された生体信号検出装置において、
上記感圧チューブとして、上記受圧ユニットの左側に配置される左側チューブと上記受圧ユニットの右側に配置される右側チューブとを備えており、
上記受圧ユニットは、ダイヤフラムと該ダイヤフラムの両側に第１および第２空間を形成するように構成されたハウジングとを備えたマイクロホンユニットで構成されており、
上記ハウジングに、上記第１および第２空間の各々を該ハウジングの外部空間に連通させる第１および第２収音孔が形成されており、
上記左側チューブは、該左側チューブの内部空間を上記第１収音孔に連通させた状態で該左側チューブの右端部において上記受圧ユニットに装着されており、
上記右側チューブは、該右側チューブの内部空間を上記第２収音孔に連通させた状態で該右側チューブの左端部において上記受圧ユニットに装着されている、ことを特徴とする生体信号検出装置。
【請求項２】
上記感圧チューブと略平行に配置可能に構成された第２感圧チューブと、この第２感圧チューブの端部に装着された状態で、該第２感圧チューブの内圧変化を検出する第２受圧ユニットとを備えている、ことを特徴とする請求項１記載の生体信号検出装置。
【請求項３】
上記左側チューブの左端部と上記右側チューブの右端部とを連結する連結チューブを備えており、
上記連結チューブと上記左側および右側チューブの各々との連結部に、上記連結チューブの内部空間と上記左側および右側チューブの各々の内部空間とを連通させる微細な貫通孔が形成されている、ことを特徴とする請求項１または２記載の生体信号検出装置。
【請求項４】
上記連結チューブの外径が、上記左側および右側チューブの各々の外径よりも小さい値に設定されている、ことを特徴とする請求項３記載の生体信号検出装置。
【発明の詳細な説明】
【技術分野】
【０００１】
本願発明は、就床時の生体信号を検出するように構成された生体信号検出装置に関するものである。
【背景技術】
【０００２】
従来より、健康管理等を目的として、その管理対象者の就床時における生体信号を検出するように構成された生体信号検出装置が知られている。
【０００３】
「特許文献１」には、このような生体信号検出装置として、寝床に配置された感圧チューブの内圧変化を受圧ユニットで検出することにより、管理対象者の就床時における生体信号を検出するように構成されたものが記載されている。
【０００４】
この「特許文献１」に記載された生体信号検出装置は、感圧チューブが寝床の複数箇所に配置されており、その内圧変化を各感圧チューブ毎に配置された受圧ユニットで検出する構成となっている。
【先行技術文献】
【特許文献】
【０００５】
【特許文献１】特許第３５４３３９２号公報
【発明の概要】
【発明が解決しようとする課題】
【０００６】
上記「特許文献１」に記載された生体信号検出装置のように、寝床の複数箇所に配置された感圧チューブの内圧変化を検出する構成とすることにより、管理対象者の寝姿を検出することが可能となり、これにより健康管理等を木目細かく行うことが可能となる。
【０００７】
しかしながら、上記「特許文献１」に記載された生体信号検出装置においては、各感圧チューブ毎に受圧ユニットが配置された構成となっているので、生体信号検出装置のコストが高くついてしまう。
【０００８】
本願発明は、このような事情に鑑みてなされたものであって、就床時の生体信号を検出するように構成された生体信号検出装置において、安価な構成で寝姿を検出することができる生体信号検出装置を提供することを目的とするものである。
【課題を解決するための手段】
【０００９】
本願発明は、感圧チューブの構成に工夫を施すことにより、上記目的達成を図るようにしたものである。
【００１０】
すなわち、本願発明に係る生体信号検出装置は、
感圧チューブと該感圧チューブに装着された受圧ユニットとを備え、上記感圧チューブを寝床に配置した状態で該感圧チューブの内圧変化を上記受圧ユニットで検出することにより就床時の生体信号を検出するように構成された生体信号検出装置において、
上記感圧チューブとして、上記受圧ユニットの左側に配置される左側チューブと上記受圧ユニットの右側に配置される右側チューブとを備えており、
上記受圧ユニットは、ダイヤフラムと該ダイヤフラムの両側に第１および第２空間を形成するように構成されたハウジングとを備えたマイクロホンユニットで構成されており、
上記ハウジングに、上記第１および第２空間の各々を該ハウジングの外部空間に連通させる第１および第２収音孔が形成されており、
上記左側チューブは、該左側チューブの内部空間を上記第１収音孔に連通させた状態で該左側チューブの右端部において上記受圧ユニットに装着されており、
上記右側チューブは、該右側チューブの内部空間を上記第２収音孔に連通させた状態で該右側チューブの左端部において上記受圧ユニットに装着されている、ことを特徴とするものである。
【００１１】
上記「左側チューブ」および「右側チューブ」の各々の断面形状や長さ等の具体的な構成については、特に限定されるものではない。
【００１２】
上記「第１収音孔」は、受圧ユニットに左側チューブの右端部が装着された状態において該左側チューブの内部空間に連通していれば、必ずしも左側に向けて開口していなくてもよい。
【００１３】
上記「第２収音孔」は、受圧ユニットに右側チューブの左端部が装着された状態において該右側チューブの内部空間に連通していれば、必ずしも右側に向けて開口していなくてもよい。
【発明の効果】
【００１４】
上記構成に示すように、本願発明に係る生体信号検出装置は、受圧ユニットの左側に配置された左側チューブが、その内部空間を受圧ユニットの第１収音孔に連通させた状態で該左側チューブの右端部において受圧ユニットに装着されるとともに、受圧ユニットの右側に配置された右側チューブが、その内部空間を受圧ユニットの第２収音孔に連通させた状態で該右側チューブの左端部において受圧ユニットに装着された構成となっているので、次のような作用効果を得ることができる。
【００１５】
すなわち、寝床の左右２箇所に配置された左側および右側チューブの内圧変化を検出することにより、管理対象者の生体信号と共にその寝姿を検出することができる。具体的には、管理対象者の寝姿が寝床の左右中央において仰向け（または俯せ）の状態にあるのか、あるいは寝返り等によって寝床の左右いずれかに片寄った状態にあるのかを検出することができる。そしてこれにより健康管理等を木目細かく行うことが可能となる。
【００１６】
その際、本願発明に係る生体信号検出装置は、左側および右側チューブの内圧変化を検出する受圧ユニットが単一のマイクロホンユニットで構成されているので、従来の生体信号検出装置に比してコスト低減を図ることができる。
【００１７】
このように本願発明によれば、就床時の生体信号を検出するように構成された生体信号検出装置において、安価な構成で寝姿を検出することができる。
【００１８】
上記構成において、感圧チューブと略平行に配置可能に構成された第２感圧チューブと、この第２感圧チューブの端部に装着された状態でその内圧変化を検出する第２受圧ユニットとを備えた構成とすれば、次のような作用効果を得ることができる。
【００１９】
すなわち、感圧チューブと第２感圧チューブとを略平行に配置した状態で、受圧ユニットによる生体信号の検出波形と第２受圧ユニットによる生体信号の検出波形とを比較することにより、管理対象者が寝返り等によって寝床の左右いずれかに片寄ったとき、どちら側に片寄っているのかを検出することができる。そしてこれにより健康管理等を一層木目細かく行うことが可能となる。
【００２０】
上記構成において、左側チューブの左端部と右側チューブの右端部とを連結する連結チューブを備えた構成とした上で、この連結チューブと左側および右側チューブの各々との連結部に、連結チューブの内部空間と左側および右側チューブの各々の内部空間とを連通させる微細な貫通孔が形成された構成とすれば、外部環境音の影響を受けることなく左側および右側チューブの内部空間の気圧調整を行うことができる。
【００２１】
その際、連結チューブとして、その外径が左側および右側チューブの各々の外径よりも小さい値に設定された構成とすれば、管理対象者から受ける荷重によって連結チューブが変形してしまうのを効果的に抑制することができる。
【図面の簡単な説明】
【００２２】
【図１】本願発明の一実施形態に係る生体信号検出装置を示す平面図
【図２】上記生体信号検出装置を使用状態で示す平面図
【図３】図１のIII−III線断面斜視図
【図４】図１のIV部詳細断面図
【図５】図１のＶ部詳細断面図
【図６】図１のVI部詳細図
【図７】図４のVII 部詳細図
【図８】上記生体信号検出装置を含む生体信号検出システムを示すブロック図
【図９】上記実施形態の作用を示す波形図
【図１０】上記作用を説明するための波形図
【図１１】上記実施形態の変形例を示す、図１と同様の図
【図１２】上記変形例を示す、図２と同様の図
【図１３】図１１のXIII部詳細断面図
【図１４】図１１のXIV 部詳細断面図
【発明を実施するための形態】
【００２３】
以下、図面を用いて、本願発明の実施の形態について説明する。
【００２４】
図１は、本願発明の一実施形態に係る生体信号検出装置１０を示す平面図であり、図２は、この生体信号検出装置１０を使用状態で示す平面図である。
【００２５】
図２に示すように、本実施形態に係る生体信号検出装置１０は、健康管理等を目的として、その管理対象者４の就床時における生体信号を検出するために使用される装置であって、左右１対の感圧チューブ２２Ｌ、２２Ｒおよびこれらと平行に配置された第２感圧チューブ２４を有する感圧ユニット２０と、その感圧チューブ２２Ｌ、２２Ｒに装着された受圧ユニット４０および第２感圧チューブ２４に装着された第２受圧ユニット１４０とを備えた構成となっている。
【００２６】
この生体信号検出装置１０においては、その感圧ユニット２０をベッド２のマットレス２ａの下に左右方向に延びるように配置した状態で、その感圧チューブ２２Ｌ、２２Ｒの内圧変化を受圧ユニット４０で検出するとともに第２感圧チューブ２４の内圧変化を第２受圧ユニット１４０で検出することにより、管理対象者４の心拍音等の生体信号を検出するとともに管理対象者４の寝姿を検出するようになっている。
【００２７】
その際、感圧ユニット２０は、心拍音等の振動を効率良く検出できるようにするため、就床状態にある管理対象者４の胸部付近に位置するように配置することが好ましい。
【００２８】
なお、ベッド２は、そのマットレス２ａを支持する部分の周囲に転落防止用の柵２ｂが設置された構成となっている。この柵２ｂは、ベッド２における管理対象者４の頭部側の略半分の領域および足元の領域に設置されている。そして、管理対象者４は、柵２ｂが設置されていない部分（すなわち足元寄りの部分）において、左右方向からベッド２に対して出入りすることができるようになっている。
【００２９】
次に、生体信号検出装置１０の具体的な構成について説明する。
【００３０】
図１に示すように、感圧ユニット２０は、左右１対の感圧チューブ２２Ｌ、２２Ｒおよび第２感圧チューブ２４が、平面視において横長矩形状の外形形状を有する共通プレート３０とその上方側に位置する左右２組の分割プレート３２Ｌ、３２Ｒ、３４Ｌ、３４Ｒとで上下両側から挟まれた構成となっている。この感圧ユニット２０は、その左右方向中心位置に関して左右対称の形状を有している。
【００３１】
左右１対の感圧チューブ２２Ｌ、２２Ｒは、受圧ユニット４０の左右両側において左右方向に延びるように配置されている。そして、左側（平面視において左側、以下同様）に位置する感圧チューブ２２Ｌは、その右端部において受圧ユニット４０に装着されており、右側に位置する感圧チューブ２２Ｒは、その左端部において受圧ユニット４０に装着されている。
【００３２】
第２感圧チューブ２４は、両感圧チューブ２２Ｌ、２２Ｒに対して管理対象者４の頭部側（以下、単に「頭部側」といい、その反対側を「足元側」という）に近接した位置において左右方向に延びるように配置されている。そして、この第２感圧チューブ２４は、その右端部において第２受圧ユニット１４０に装着されている。
【００３３】
感圧ユニット２０は、感圧チューブ２２Ｌの左端部と感圧チューブ２２Ｒの右端部とを連結する連結チューブ２６を備えている。この連結チューブ２６は、両感圧チューブ２２Ｌ、２２Ｒの足元側に近接した位置において左右方向に延びるように配置されている。
【００３４】
そして、感圧ユニット２０は、左右１対の感圧チューブ２２Ｌ、２２Ｒおよび連結チューブ２６ならびに第２感圧チューブ２４が、左右方向に延びる左右２組の弾性部材２８と共に、共通プレート３０に載置された構成となっている。
【００３５】
左右１対の感圧チューブ２２Ｌ、２２Ｒと第２感圧チューブ２４との位置関係は、共通プレート３０の幅方向中心位置に関して線対称の位置関係になっている。その際、両者の中心間距離は５０ｍｍ以下（好ましくは３０ｍｍ以下（例えば２３ｍｍ程度））の値に設定されている。
【００３６】
左右２組の弾性部材２８は、共通プレート３０の幅方向両端部に配置されている。
【００３７】
共通プレート３０は、その長さが８００ｍｍ程度、その幅が１００ｍｍ程度の値に設定されている。
【００３８】
この共通プレート３０には、その足元側の端面における左右方向中心部に矩形状の切欠き部３０ａが形成されている。この切欠き部３０ａは、共通プレート３０の幅寸法の１／２程度の奥行で形成されており、その左右幅はその奥行より小さい値に設定されている。受圧ユニット４０は、この切欠き部３０ａに収容された状態で配置されている。
【００３９】
左右１対の感圧チューブ２２Ｌ、２２Ｒは、切欠き部３０ａの左右両側に位置するように配置されている。また、連結チューブ２６は、この切欠き部３０ａを左右方向に跨いで延びるように配置されている。その際、この連結チューブ２６は、切欠き部３０ａにおいて受圧ユニット４０を迂回するように湾曲して延びている。
【００４０】
左右２組の弾性部材２８のうち足元側に位置する左右１対の弾性部材２８も、切欠き部３０ａの左右両側に位置するように配置されている。一方、頭部側に位置する左右１対の弾性部材２８は、共通プレート３０の幅方向中心位置に関して、足元側に位置する左右１対の弾性部材２８と線対称の位置関係で配置されている。
【００４１】
足元側に位置する左右１対の分割プレート３２Ｌ、３２Ｒは、切欠き部３０ａの左右両側に配置されている。その際、左側の分割プレート３２Ｌは、共通プレート３０における切欠き部３０ａの左側に位置する足元側の略半分の領域に対応した横長矩形状の外形形状を有しており、右側の分割プレート３２Ｒはこれと左右対称の外形形状を有している。
【００４２】
一方、頭部側に位置する左右１対の分割プレート３４Ｌ、３４Ｒは、切欠き部３０ａの左右方向中心位置に僅かな隙間を残した状態でその左右両側に位置するように配置されている。その際、これら各分割プレート３４Ｌ、３４Ｒは、共通プレート３０における頭部側の略半分の領域に対応した横長矩形状の外形形状を有しており、各分割プレート３２Ｌ、３２Ｒとの間に僅かな隙間を残した状態で配置されている。
【００４３】
図３は、図１のIII−III線断面斜視図である。
【００４４】
同図に示すように、感圧チューブ２２Ｌは、軟質樹脂等の軟質材料で構成されており、円環状の断面形状を有している。この感圧チューブ２２Ｌは、その内径がφ２〜５ｍｍ程度の値（例えばφ３ｍｍ程度）に設定されており、その肉厚が１ｍｍ程度の値に設定されている。
【００４５】
感圧チューブ２２Ｒおよび第２感圧チューブ２４も感圧チューブ２２Ｌと同様の構成を有している。
【００４６】
各弾性部材２８は、スポンジ等の容易に弾性変形可能な材質で構成されており、矩形状の断面形状を有している。これら各弾性部材２８の厚さは、感圧チューブ２２Ｌの外径と略同じ値に設定されている。
【００４７】
一方、連結チューブ２６も、軟質樹脂等の軟質材料で構成されており、円環状の断面形状を有しているが、その内径は、感圧チューブ２２Ｌよりも小さいφ０．５〜２ｍｍ程度の値（例えばφ１ｍｍ程度）に設定されており、その肉厚が１ｍｍ程度の値に設定されている。
【００４８】
共通プレート３０および各分割プレート３２Ｌ、３２Ｒ、３４Ｌ、３４Ｒは、硬質樹脂等の硬質材料で構成されており、３ｍｍ程度の厚さを有している。
【００４９】
そして、各感圧チューブ２２Ｌ、２２Ｒは、その外周面上の上下両端位置において、各分割プレート３２Ｌ、３２Ｒおよび共通プレート３０に接着等により固定されており、第２感圧チューブ２４は、その外周面上の上下両端位置において、分割プレート３４Ｌ、３４Ｒおよび共通プレート３０に接着等により固定されている。また、各弾性部材２８は、その上下両面において、各分割プレート３２Ｌ、３２Ｒ、３４Ｌ、３４Ｒおよび共通プレート３０に接着等により固定されている。
【００５０】
これにより、感圧ユニット２０においては、分割プレート３２Ｌおよび共通プレート３０に上下方向の圧力が加わると、感圧チューブ２２Ｌが弾性変形してその内圧が変化し、一方、分割プレート３２Ｒおよび共通プレート３０に上下方向の圧力が加わると、感圧チューブ２２Ｒが弾性変形してその内圧が変化し、また、分割プレート３４Ｌおよび共通プレート３０あるいは分割プレート３４Ｒおよび共通プレート３０に上下方向の圧力が加わると、第２感圧チューブ２４が弾性変形してその内圧が変化するようになっている。
【００５１】
その際、各弾性部材２８は、各分割プレート３２Ｌ、３２Ｒ、３４Ｌ、３４Ｒおよび共通プレート３０に上下方向の圧力が加わっていない状態では、元の矩形状の断面形状のまま各感圧チューブ２２Ｌ、２２Ｒおよび第２感圧チューブ２４と共に各分割プレート３２Ｌ、３２Ｒ、３４Ｌ、３４Ｒと共通プレート３０とを平行な状態に維持する一方、各分割プレート３２Ｌ、３２Ｒ、３４Ｌ、３４Ｒおよび共通プレート３０に上下方向の圧力が加わると、各感圧チューブ２２Ｌ、２２Ｒや第２感圧チューブ２４よりも容易に変形してこれらが自由に変形するのを阻害しないようになっている。
【００５２】
一方、連結チューブ２６は、各感圧チューブ２２Ｌ、２２Ｒよりも外径がかなり小さいので、足元側の各分割プレート３２Ｌ、３２Ｒおよび共通プレート３０に上下方向の圧力が加わって各感圧チューブ２２Ｌ、２２Ｒおよび各弾性部材２８がかなり変形しても、その影響を受けない（あるいは受けにくい）構成となっている。
【００５３】
次に、受圧ユニット４０の構成について説明する。
【００５４】
図４は、図１のIV部詳細断面図である。
【００５５】
同図に示すように、受圧ユニット４０は、マイクロホン５０とこれを収容する第１および第２ホルダ４２Ａ、４２Ｂとを備えたマイクロホンユニットとして構成されている。
【００５６】
マイクロホン５０は、ダイヤフラム５２と、このダイヤフラム５２の左右両側に第１空間Ｃ１および第２空間Ｃ２を形成するように構成されたハウジング５４とを備えている。なお、図４においてはマイクロホン５０の構成を簡略化して示している。
【００５７】
ハウジング５４には、第１空間Ｃ１を該ハウジング５４の外部空間に連通させる第１収音孔５４ａと、第２空間Ｃ２を該ハウジング５４の外部空間に連通させる第２収音孔５４ｂとが形成されている。
【００５８】
第１および第２ホルダ４２Ａ、４２Ｂは、硬質樹脂等の硬質材料で構成されている。これら第１および第２ホルダ４２Ａ、４２Ｂは、マイクロホン５０と、このマイクロホン５０から延びるリードワイヤ４４と、このリードワイヤ４４に導線部４８ａがハンダ４６で導通固定された信号ケーブル４８の端部とを収容した状態で、左右両側から互いに組み付けられている。その際、信号ケーブル４８は、その端部が第１および第２ホルダ４２Ａ、４２Ｂの間に挟み込まれることによって、その位置決め固定がなされている。
【００５９】
第１ホルダ４２Ａには、円筒状のマイクロホン支持部４２Ａａが形成されていいる。このマイクロホン支持部４２Ａａには、マイクロホン５０が右方向から嵌め込まれている。
【００６０】
第１ホルダ４２Ａにおけるマイクロホン支持部４２Ａａの左側には、円筒状のチューブ連結部４２Ａｂがマイクロホン５０の第１収音孔５４ａと連通するようにして形成されている。このチューブ連結部４２Ａｂには、感圧チューブ２２Ｌの右端部２２Ｌａが拡げられた状態で嵌め込まれている。
【００６１】
また、第２ホルダ４２Ｂには、円筒状のチューブ連結部４２Ｂｂがマイクロホン５０の第２収音孔５４ｂと連通するようにして形成されている。このチューブ連結部４２Ｂｂは、第１ホルダ４２Ａのチューブ連結部４２Ａｂと同軸となる位置関係で形成されている。このチューブ連結部４２Ｂｂには、感圧チューブ２２Ｒの左端部２２Ｒａが拡げられた状態で嵌め込まれている。
【００６２】
第１ホルダ４２Ａのマイクロホン支持部４２Ａａには、該マイクロホン支持部４２Ａａに嵌め込まれたマイクロホン５０の外周面に沿って接着剤等の封止剤７２が全周にわたって塗布されている。そしてこれにより、マイクロホン５０の第１空間Ｃ１を感圧チューブ２２Ｌの内部空間に確実に連通させるようになっている。
【００６３】
また、第１および第２ホルダ４２Ａ、４２Ｂの合わせ面および信号ケーブル４８の端部の挟み込み部分にも接着剤等の封止剤７４が塗布されている。そしてこれにより、第１および第２ホルダ４２Ａ、４２Ｂの内部空間と外部空間とを確実に隔離して、マイクロホン５０の第２空間Ｃ２を感圧チューブ２２Ｒの内部空間に確実に連通させるようになっている。
【００６４】
次に、マイクロホン５０の具体的な構成について説明する。
【００６５】
図７は、図４のVII 部詳細図である。
【００６６】
同図に示すように、マイクロホン５０はエレクトレットコンデンサマイクロホンであって、ダイヤフラム５２が、支持リング５６、背面電極板５８、スペーサ６０、ブッシュ６２およびインピーダンス変換素子６４と共に、ハウジング５４に収容された構成となっている。
【００６７】
ハウジング５４は、導電性カバー６６と基板６８とで構成されている。
【００６８】
導電性カバー６６は、側面視において円形の外形形状を有する筒状部材であって、金属板にプレス加工を施すことにより形成されている。一方、基板６８は、導電性カバー６６の内径と略同じ外径の円板形状を有しており、導電性カバー６６の左端面壁と平行に配置されている。導電性カバー６６における周面壁の右端部には、内周側へ折れ曲がるようにして延びる環状折曲部６６ａが延長形成されており、この環状折曲部６６ａにおいて導電性カバー６６は基板６８にカシメ固定されている。
【００６９】
ハウジング５４の第１収音孔５４ａは、導電性カバー６６における左端面壁の複数箇所に形成されている。
【００７０】
ダイヤフラム５２は、高分子フィルムの左表面に金属蒸着膜が形成された構成となっており、その外周縁部において支持リング５６に支持されている。この支持リング５６は、円環状の金属板で構成されており、導電性カバー６６の内径よりもやや小さい外径を有している。ダイヤフラム５２は、この支持リング５６の右表面に張設固定（すなわちテンションをかけた状態で接着等により固定）されている。
【００７１】
背面電極板５８は、支持リング５６よりも外径がひと回り小さい円板形状を有しており、ダイヤフラム５２の右側に近接して配置されている。この背面電極板５８は、金属板で構成された電極板本体の左表面にエレクトレット層５８ａが配置された構成となっている。このエレクトレット層５８ａは、電極板本体に形成された絶縁膜に所定のチャージ電圧で分極処理を施すことによって生成されており、これにより所定の表面電位が付与されている。この背面電極板５８には、その周方向の複数箇所に、該背面電極板５８を左右方向に貫通する貫通孔５８ｂが形成されている。
【００７２】
スペーサ６０は、円環状に形成された樹脂製の薄板で構成されており、ダイヤフラム５２と背面電極板５８との間に配置されている。そして、このスペーサ６０を介してダイヤフラム５２と背面電極板５８のエレクトレット層５８ａとが平行に対向配置されることにより、コンデンサ部が構成されるようになっている。
【００７３】
ブッシュ６２は、外周円筒部と中心部とこれらを接続する右端壁部とからなり、支持リング５６と略同じ外径を有している。このブッシュ６２は、背面電極板５８の右側に配置されており、その外周円筒部の左端部において背面電極板５８を支持している。このブッシュ６２の中心部には、インピーダンス変換素子６４を収容するための凹部６２ａが形成されている。また、このブッシュ６２の右端壁部には、その複数箇所に該右端壁部を左右方向に貫通する貫通孔６２ｂが形成されている。
【００７４】
基板６８は、ブッシュ６２の右側において該ブッシュ６２に当接した状態で配置されている。第２空間Ｃ２をハウジング５４の外部空間に連通させるための第２収音孔５４ｂは、この基板６８の複数箇所に形成されている。その際、複数の第２収音孔５４ｂは、ブッシュ６２の右端壁部に形成された複数の貫通孔６２ｂと対応する位置に形成されている。
【００７５】
インピーダンス変換素子６４は、左右両側に突出する１対の端子６４ａ、６４ｂを有するＦＥＴで構成されている。左側へ延びる端子６４ａは、ブッシュ６２を貫通した状態でその先端部が折れ曲がっており、この先端部において背面電極板５８と導通している。また、右側へ延びる端子６４ｂは、基板６８を貫通した状態でその先端部が折れ曲がっており、この先端部において基板６８の右表面に施されたハンダ７０によってリードワイヤ４４と導通している。
【００７６】
次に、第２受圧ユニット１４０の構成について説明する。
【００７７】
図５は、図１のＶ部詳細断面図である。
【００７８】
同図に示すように、第２受圧ユニット１４０は、受圧ユニット４０と同様、マイクロホン１５０とこれを収容する第１および第２ホルダ１４２Ａ、１４２Ｂとを備えたマイクロホンユニットとして構成されている。
【００７９】
この受圧ユニット１４０の基本的な構成は、受圧ユニット４０と同様であるが、そのマイクロホン１５０のハウジング１５４および第２ホルダ１４２Ｂの構成の一部が受圧ユニット４０の場合と異なっている。
【００８０】
すなわち、マイクロホン１５０のハウジング１５４には、マイクロホン５０のハウジング５４と同様の第１収音孔１５４ａが形成されているが、第２収音孔５４ｂに相当するものは形成されていない。また、第２ホルダ１４２Ｂには、第２ホルダ４２Ｂのチューブ連結部４２Ｂｂに相当するものは形成されていない。
【００８１】
第１ホルダ１４２Ａの構成は、受圧ユニット４０の第１ホルダ４２Ａと同様であり、第１収音孔１５４ａと連通するように形成されたチューブ連結部１４２Ａｂには、第２感圧チューブ２４の右端部２４ａが拡げられた状態で嵌め込まれている。
【００８２】
次に、第２感圧チューブ２４の左端部２４ｂの構成について説明する。
【００８３】
図６は、図１のVI部詳細図である。
【００８４】
同図にも示すように、第２感圧チューブ２４は、その左端部２４ｂが共通プレート３０の左端面よりも左方向に僅かに突出している。この第２感圧チューブ２４の左端部２４ｂは栓部材８０によって閉塞されているが、この左端部２４ｂには栓部材８０を左右方向に貫通するニードルパイプ８２によって微細な貫通孔８２ａが形成されている。
【００８５】
栓部材８０は、硬質樹脂等の硬質材料からなる栓本体８４と、この栓本体８４に装着された軟質樹脂等の軟質材料からなるチューブ８６と、このチューブ８６の内部に挿入されたゴム等の軟質材料からなるブッシュ８８とで構成されている。
【００８６】
ニードルパイプ８２は、金属製の細いパイプであって、栓部材８０のブッシュ８８を貫通するように配置された状態で、その左端部においてブッシュ８８に支持されている。
【００８７】
栓本体８４は、外周面に環状凹部を有する筒状の部材であって、その右端部には大径部８４ａが形成されており、その左端部には小径部８４ｂが形成されている。そして、この栓本体８４の大径部８４ａには、第２感圧チューブ２４の左端部２４ｂが拡げられた状態で嵌め込まれており、その小径部８４ｂには、ブッシュ８８を収容したチューブ８６が拡げられた状態で嵌め込まれている。その際、ブッシュ８８に支持されたニードルパイプ８２は、栓本体８４と干渉することなくその内周空間を左右方向に挿通された状態で、栓本体８４の右端面よりも右方向の位置まで延びている。
【００８８】
ニードルパイプ８２の内径φＡは、第２感圧チューブ２４の内径の１／１８〜１／９程度の値（例えばφＡ＝０．３ｍｍ程度）に設定されている。また、ニードルパイプ８２の長さは、２０〜３０ｍｍ程度の値（例えば２３ｍｍ程度）に設定されている。
【００８９】
次に、各感圧チューブ２２Ｌ、２２Ｒと連結チューブ２６との連結構造について説明する。
【００９０】
図６に示すように、感圧チューブ２２Ｌの左端部２２Ｌｂにおける連結チューブ２６との連結構造は、同図に示す第２感圧チューブ２４の左端部２４ｂ周辺の構成のうち、チューブ８６が連結チューブ２６に置き換えられた構成となっている。
【００９１】
すなわち、感圧チューブ２２Ｌの左端部２２Ｌｂは栓部材８０によって閉塞されているが、この左端部２２Ｌｂには栓部材８０を左右方向に貫通するニードルパイプ８２によって微細な貫通孔８２ａが形成されている。その際、栓部材８０における栓本体８４の大径部８４ａには、感圧チューブ２２Ｌの左端部２２Ｌｂが拡げられた状態で嵌め込まれており、その小径部８４ｂには、連結チューブ２６の左端部２６ｂが拡げられた状態で嵌め込まれている。なお、図１に示すように、連結チューブ２６は共通プレート３０の左端面よりも左側においてＵ字形に湾曲しており、その左端部２６ｂは右方向を向いている。
【００９２】
図５に示すように、感圧チューブ２２Ｒの右端部２２Ｒｂにおける連結チューブ２６との連結構造は、その左端部２２Ｌｂにおける連結チューブ２６との連結構造と同様である。
【００９３】
図８は、生体信号検出装置１０を含む生体信号検出システム１００を示すブロック図である。
【００９４】
同図に示すように、生体信号検出システム１００は、生体信号検出装置１０と、その受圧ユニット４０および第２受圧ユニット１４０に接続された信号処理部１０２と、この信号処理部１０２に接続された寝返り判定部１０４とを備えている。
【００９５】
信号処理部１０２および寝返り判定部１０４は、生体信号検出装置１０と信号ケーブル４８（図４、５参照）を介して接続されたパソコン等の情報処理端末に収納されている。
【００９６】
信号処理部１０２は、受圧ユニット４０および第２受圧ユニット１４０で検出された生体信号に対して一定の処理を行うことにより、相互相関関数の相関値を算出するようになっている。
【００９７】
寝返り判定部１０４は、信号処理部１０２において算出された相関値に基づいて、管理対象者４が寝返りしたか否かおよび寝返りしたときに左右どちら側に寝返りしたかを判定するようになっている。なお、この寝返り判定を信号処理部１０２で行うようにすることも可能である。
【００９８】
次に、生体信号検出システム１００において、生体信号検出装置１０を実際に使用して生体信号を検出した結果について説明する。
【００９９】
図９は、感圧ユニット２０を図２に示すように配置した状態で、受圧ユニット４０および第２受圧ユニット１４０によって検出された生体信号の出力波形を示す図である。
【０１００】
具体的には、この生体信号の出力波形は、管理対象者４がベッド２の左右中央において仰向けに寝た状態から、右側（図２においては左側）に寝返りを打って右向きになって寝た状態となり、その後、左側（図２においては右側）に大きく寝返りを打って左向きになって寝た状態となり、さらにその後、右側に寝返りを打って再度仰向けに寝た状態となったときの出力波形である。その際、出力波形Ｗ１は受圧ユニット４０によって検出された出力波形であり、出力波形Ｗ２は第２受圧ユニット１４０によって検出された出力波形である。
【０１０１】
同図（ａ）において矩形枠で囲んで示す５つの短い期間Ｐ１〜Ｐ５の各々においては、出力波形Ｗ１、Ｗ２はいずれも振幅が極めて大きい不規則な波形となっている。これは、管理対象者４が寝返りのために体を大きく動かしたり、あるいはベッド２に就いたりベッド２から離れたりする動作をしたために、各感圧チューブ２２Ｌ、２２Ｒおよび第２感圧チューブ２４の内圧変化がいずれも極めて大きくなってしまったことによるものである。
【０１０２】
一方、期間Ｐ１〜Ｐ５の各々の間の比較的長い期間は、管理対象者４が安静にしている期間である。なお、同図（ｂ）は、これら各期間における出力波形Ｗ１、Ｗ２の一部を、時間軸を拡大して示す図である。
【０１０３】
期間Ｐ１と期間Ｐ２との間の期間では、出力波形Ｗ２は振幅が比較的大きい波形となっているのに対し、出力波形Ｗ１は振幅が極めて小さい波形となっている。これは、管理対象者４がベッド２の左右中央において仰向けに寝た状態にあり、左右１対の感圧チューブ２２Ｌ、２２Ｒの内圧変化が略同様に発生するため、受圧ユニット４０において第１収音孔５４ａから入力される内圧変化と第２収音孔５４ｂから入力される内圧変化とが略相殺されてしまうことによるものである。
【０１０４】
期間Ｐ２と期間Ｐ３との間の期間では、出力波形Ｗ２は振幅が比較的大きい波形となっているのに対し、出力波形Ｗ１は振幅が比較的小さい波形となっている。その際、出力波形Ｗ１の振幅は期間Ｐ１と期間Ｐ２との間の期間の場合よりもかなり大きくなっており、かつ、その形は出力波形Ｗ２と似たような同位相の波形となっている。これは、管理対象者４が右側に寝返りを打ってベッド２の左側に片寄った位置で寝ている状態では、右側の感圧チューブ２２Ｒの内圧変化よりも左側の感圧チューブ２２Ｌの内圧変化の方が大きくなり、第２受圧ユニット１４０の第１収音孔１５４ａと同じ向き（すなわち左向き）の第１収音孔５４ａから受圧ユニット４０に入力される内圧変化が相対的に大きくなることによるものである。
【０１０５】
期間Ｐ３と期間Ｐ４との間の期間でも、出力波形Ｗ２は振幅が比較的大きい波形となっているのに対し、出力波形Ｗ１は振幅が比較的小さい波形となっているが、その際、出力波形Ｗ１の形は出力波形Ｗ２を反転させたような逆位相の波形となっている。これは、管理対象者４が左側に寝返りを打ってベッド２の右側に片寄った位置で寝ている状態では、左側の感圧チューブ２２Ｌの内圧変化よりも右側の感圧チューブ２２Ｒの内圧変化の方が大きくなり、第２受圧ユニット１４０の第１収音孔１５４ａとは逆向き（すなわち右向き）の第２収音孔５４ｂから受圧ユニット４０に入力される内圧変化が相対的に大きくなることによるものである。
【０１０６】
期間Ｐ４と期間Ｐ５との間の期間では、管理対象者４がベッド２の左右中央において仰向けに寝た状態にあるので、期間Ｐ１と期間Ｐ２との間の期間の場合と同様、出力波形Ｗ２は振幅が比較的大きい波形となっているのに対し、出力波形Ｗ１は振幅が極めて小さい波形となっている。
【０１０７】
図１０は、図９（ｂ）に示した出力波形Ｗ１、Ｗ２の一部を、これらを簡略化した波形と共に示す図である。
【０１０８】
同図（ｂ１）は、期間Ｐ２と期間Ｐ３との間の期間における出力波形Ｗ１、Ｗ２の一部を拡大して示す図であり、同図（ａ１）は、これらを簡略化して示す図である。また、同図（ｂ２）は、期間Ｐ３と期間Ｐ４との間の期間における出力波形Ｗ１、Ｗ２の一部を拡大して示す図であり、同図（ａ２）は、これらを簡略化して示す図である。
【０１０９】
同図（ａ１）および（ｂ１）に示すように、出力波形Ｗ１、Ｗ２の波形が似ている（ピークが類似している）ときには、出力波形Ｗ１と出力波形Ｗ２との相互相関関数の相関値は正の値となる。一方、同図（ａ２）および（ｂ２）に示すように、出力波形Ｗ１、Ｗ２の波形が反転しているときには、出力波形Ｗ１と出力波形Ｗ２との相互相関関数の相関値は負の値となる。また、出力波形Ｗ１、Ｗ２の波形が上記いずれの関係にもないときには、出力波形Ｗ１と出力波形Ｗ２との相互相関関数の相関値はゼロに近い値となる。
【０１１０】
したがって、出力波形Ｗ１と出力波形Ｗ２との相互相関関数の相関値を算出することにより、管理対象者４が左右いずれの方向に寝返りを打った状態で寝ているのかを判別することが可能となる。
【０１１１】
次に本実施形態の作用効果について説明する。
【０１１２】
本実施形態に係る生体信号検出装置１０は、受圧ユニット４０の左側に配置された感圧チューブ２２Ｌ（左側チューブ）が、その内部空間を受圧ユニット４０の第１収音孔５４ａに連通させた状態で該感圧チューブ２２Ｌの右端部２２Ｌａにおいて受圧ユニット４０に装着されるとともに、受圧ユニット４０の右側に配置された感圧チューブ２２Ｒ（右側チューブ）が、その内部空間を受圧ユニット４０の第２収音孔５４ｂに連通させた状態で該感圧チューブ２２Ｒの左端部２２Ｒａにおいて受圧ユニット４０に装着された構成となっているので、次のような作用効果を得ることができる。
【０１１３】
すなわち、ベッド２の左右２箇所に配置された感圧チューブ２２Ｌ、２２Ｒの内圧変化を検出することにより、管理対象者４の生体信号と共にその寝姿を検出することができる。具体的には、管理対象者４の寝姿がベッド２の左右中央において仰向け（または俯せ）の状態にあるのか、あるいは寝返り等によってベッド２の左右いずれかに片寄った状態にあるのかを検出することができる。そしてこれにより健康管理等を木目細かく行うことが可能となる。
【０１１４】
その際、本実施形態に係る生体信号検出装置１０は、感圧チューブ２２Ｌ、２２Ｒの内圧変化を検出する受圧ユニット４０が単一のマイクロホンユニットで構成されているので、従来の生体信号検出装置に比してコスト低減を図ることができる。
【０１１５】
このように本実施形態によれば、就床時の生体信号を検出するように構成された生体信号検出装置１０において、安価な構成で寝姿を検出することができる。
【０１１６】
しかも、本実施形態に係る生体信号検出装置１０は、感圧チューブ２２Ｌ、２２Ｒと略平行に配置可能に構成された第２感圧チューブ２４と、この第２感圧チューブ２４の右端部２４ａに装着された状態でその内圧変化を検出する第２受圧ユニット１４０とを備えているので、次のような作用効果を得ることができる。
【０１１７】
すなわち、感圧チューブ２２Ｌ、２２Ｒと第２感圧チューブ２４とを略平行に配置した状態で、受圧ユニット４０による生体信号の検出波形と第２受圧ユニット１４０による生体信号の検出波形とを比較することにより、管理対象者４が寝返り等によってベッド２の左右いずれかに片寄ったとき、どちら側に片寄っているのかを検出することができる。そしてこれにより健康管理等を一層木目細かく行うことが可能となる。
【０１１８】
また本実施形態においては、第２受圧ユニット１４０による生体信号の出力波形を用いて、管理対象者４の就床時における生体信号を精度良く検出することができる。
【０１１９】
また、本実施形態に係る生体信号検出装置１０は、感圧チューブ２２Ｌの左端部２２Ｌｂと感圧チューブ２２Ｒの右端部２２Ｒｂとを連結する連結チューブ２６を備えており、この連結チューブ２６と感圧チューブ２２Ｌ、２２Ｒの各々との連結部には、連結チューブ２６の内部空間と感圧チューブ２２Ｌ、２２Ｒの各々の内部空間とを連通させる微細な貫通孔８２ａが形成されているので、外部環境音の影響を受けることなく感圧チューブ２２Ｌ、２２Ｒの内部空間の気圧調整を行うことができる。
【０１２０】
その際、連結チューブ２６の外径が感圧チューブ２２Ｌ、２２Ｒの各々の外径よりも小さい値に設定されているので、管理対象者４から受ける荷重によって連結チューブ２６が変形してしまうのを効果的に抑制することができる。
【０１２１】
さらに、本実施形態に係る生体信号検出装置１０は、第２感圧チューブ２４の左端部２４ｂに、該第２感圧チューブ２４の内部空間と外部空間とを連通させる微細な貫通孔８２ａが形成された構成となっているので、次のような作用効果を得ることができる。
【０１２２】
すなわち、第２感圧チューブ２４の左端部２４ｂに貫通孔８２ａが形成されていることにより、この貫通孔８２ａを介して、ベッド２が設置された部屋のドアの開閉等に伴う空気振動を第２感圧チューブ２４の内部空間に伝達させることができ、この伝達した空気振動を第２感圧チューブ２４の内圧変化として第２受圧ユニット１４０で検出することができる。その際、この貫通孔８２ａは微細な貫通孔として形成されているので、この貫通孔８２ａが形成されたために第２感圧チューブ２４の変形に伴う内圧変化を第２受圧ユニット１４０によって検出する機能が損なわれてしまうのを未然に防止することができる。
【０１２３】
したがって、生体信号検出装置１０を安価な構成とした上でドアの開閉等を検出することができる。そしてこれにより、管理対象者４が部屋に入ってから就床するまでの所要時間あるいは起床してから部屋を出るまでの所要時間を検出することが可能となる。
【０１２４】
また本実施形態においては、左右１対の感圧チューブ２２Ｌ、２２Ｒおよび第２感圧チューブ２４が、感圧ユニット２０の一部として、左右２組の弾性部材２８と共に、共通プレート３０と左右２組の分割プレート３２Ｌ、３２Ｒ、３４Ｌ、３４Ｒとで上下両側から挟まれた構成となっているので、管理対象者４から受ける荷重を共通プレート３０および各分割プレート３２Ｌ、３２Ｒ、３４Ｌ、３４Ｒを介して各感圧チューブ２２Ｌ、２２Ｒおよび第２感圧チューブ２４の略全長にわたって略均等に作用させることができ、これにより生体信号の検出を精度良く行うことができる。
【０１２５】
上記実施形態においては、各感圧チューブ２２Ｌ、２２Ｒおよび第２感圧チューブ２４が円環状の断面形状を有しているものとして説明したが、これ以外の断面形状（例えば楕円環状や長円環状の断面形状）を有する構成とすることも可能である。
【０１２６】
上記実施形態においては、寝床がベッド２であり、感圧ユニット２０がマットレス２ａの下に配置された状態で使用されるものとして説明したが、寝床が床面に敷かれた布団であって、感圧ユニット２０がこの布団の下に配置された状態で使用されるようにすることも可能である。
【０１２７】
上記実施形態においては、感圧チューブ２２Ｌ、２２Ｒおよび第２感圧チューブ２４が感圧ユニット２０の一部として構成されているものとして説明したが、感圧チューブ２２Ｌ、２２Ｒおよび第２感圧チューブ２４が直接マットレス等の下に配置されるような構成とすることも可能である。
【０１２８】
上記実施形態においては、生体信号検出装置１０として左右１対の感圧チューブ２２Ｌ、２２Ｒと共に第２感圧チューブ２４を備えているものとして説明したが、これらのうち左右１対の感圧チューブ２２Ｌ、２２Ｒのみを備えた構成とすることも可能である。
【０１２９】
次に、上記実施形態の変形例について説明する。
【０１３０】
図１１は、本変形例に係る生体信号検出装置２１０を示す平面図である。
【０１３１】
同図に示すように、この生体信号検出装置２１０は、上記実施形態に係る生体信号検出装置１０に対して、第３感圧チューブ２２２を有する第２感圧ユニット２２０と、その第３感圧チューブ２２２を第２受圧ユニット２４０と連結するための連結チューブ２１２とが追加配置された構成となっている。これに伴い、第２受圧ユニット２４０の構成は、後述するように上記実施形態の第２受圧ユニット１４０とは一部異なっている。
【０１３２】
図１２は、生体信号検出装置２１０を使用状態で示す平面図である。
【０１３３】
同図に示すように、この生体信号検出装置２１０においては、その第２感圧ユニット２２０をベッド２において感圧ユニット２０と略平行に延びるように配置した状態で、その第３感圧チューブ２２２の内圧変化を受圧ユニット２４０で検出することにより、管理対象者４がベッド２に出入りしたことを検出するようになっている。
【０１３４】
その際、管理対象者４はベッド２に対して柵２ｂが設置されていない部分（すなわち管理対象者４の足元寄りの部分）において出入りすることとなるので、第２感圧ユニット２２０は管理対象者４の膝部付近に位置するように配置することが好ましい。
【０１３５】
図１１に示すように、第２感圧ユニット２２０は、左右方向に延びる第３感圧チューブ２２２が、左右方向に延びる１対の弾性部材２２４と共に、平面視において横長矩形状の外形形状を有する上下１対のプレート２２６、２２８に挟まれた構成となっている。
【０１３６】
各プレート２２６、２２８の構成は、感圧ユニット２０の共通プレート３０と同様であるが、その切欠き部３０ａに相当するものは形成されていない。
【０１３７】
第３感圧チューブ２２２は、両プレート２２６、２２８の幅方向中心部に配置されており、１対の弾性部材２２４は、両プレート２２６、２２８の幅方向両端部に配置されている。
【０１３８】
第３感圧チューブ２２２の構成は第２感圧チューブ２４と同様であり、各弾性部材２２４の構成は各弾性部材２８と同様である。
【０１３９】
図１３は、図１１のXIII部詳細断面図である。
【０１４０】
同図にも示すように、第３感圧チューブ２２２の左端部２２２ｂは栓部材２３０によって閉塞されているが、この左端部２２２ｂには栓部材２３０を貫通するニードルパイプ２３２によって微細な第２貫通孔２３２ａが形成されている。
【０１４１】
栓部材２３０は、栓本体２３４、チューブ２３６およびブッシュ２３８によって構成されている。この栓部材２３０の構成は栓部材３０と同様である。
【０１４２】
ニードルパイプ２３２は、ニードルパイプ８２と同様、金属製の細いパイプであって、栓部材２３０のブッシュ２３８を貫通するように配置された状態で、その左端部においてブッシュ２３８に支持されている。ただし、このニードルパイプ２３２はニードルパイプ８２よりも大きい内径を有している。
【０１４３】
具体的には、ニードルパイプ２３２の内径φＢは、第３感圧チューブ２２２の内径の１／８〜１／４程度の値（例えばφＢ＝０．５ｍｍ程度）に設定されている。また、ニードルパイプ２３２の長さは、２０〜３０ｍｍ程度の値（例えば２３ｍｍ程度）に設定されている。
【０１４４】
図１１に示すように、第２感圧ユニット２２０においては、第３感圧チューブ２２２の右端部２２２ａの両プレート２２６、２２８の右端面からの突出量が、感圧ユニット２０における第２感圧チューブ２４の場合よりも大きい値に設定されている。
【０１４５】
第３感圧チューブ２２２の右端部２２２ａは開放されており、この右端部２２２ａには連結チューブ２１２がＬ字形の連結具２１６を介して連結されている。そして、この連結チューブ２１２は、Ｌ字形の連結具２１４を介して第２受圧ユニット２４０に連結されている。連結チューブ２１２の構成は第３感圧チューブ２２２と同様である。
【０１４６】
図１４は、図１１のXIV 部詳細断面図である。
【０１４７】
同図に示すように、第２受圧ユニット２４０は、受圧ユニット４０と同様、マイクロホン２５０とこれを収容する第１および第２ホルダ２４２Ａ、２４２Ｂとを備えたマイクロホンユニットとして構成されている。
【０１４８】
この受圧ユニット２４０の基本的な構成は、第２受圧ユニット１４０と同様であるが、そのマイクロホン２５０のハウジング２５４および第２ホルダ２４２Ｂの構成の一部が第２受圧ユニット１４０の場合と異なっている。
【０１４９】
すなわち、本変形例のマイクロホン２５０は、そのハウジング２５４の複数箇所に第２空間Ｃ２を該ハウジング２５４の外部空間に連通させるための第２収音孔２５４ｂが形成されている。
【０１５０】
また、本変形例の第２ホルダ２４２Ｂは、第１ホルダ２４２Ａのマイクロホン支持部２４２Ａａと対向する位置に、右方向に延びる円筒状のチューブ連結部２４２Ｂｂが形成されている。
【０１５１】
このチューブ連結部２４２Ｂｂには、Ｌ字形の連結具２１４の一部を構成するパイプ２１４Ａが挿着されている。そしてこれにより、マイクロホン２５０の第２収音孔２５４ｂを、連結チューブ２１２を介して第３感圧チューブ２２２の内部空間に連通させるようになっている。
【０１５２】
本変形例の構成を採用することにより、次のような作用効果を得ることができる。
【０１５３】
すなわち、管理対象者４は、ベッド２に対して出入りする際、柵２ｂが設置されていない足元付近の左右端部に腰掛けることとなるが、この足元付近には第２感圧ユニット２２０が配置されているので、管理対象者４の体重がこの第２感圧ユニット２２０に集中して、その第３感圧チューブ２２２が大きく変形することとなる。したがって、この変形による第３感圧チューブ２２２の内圧変化を第２受圧ユニット２４０で検出することにより、管理対象者４のベッド２への出入りを精度良く検出することができる。
【０１５４】
また、管理対象者４がベッド２で寝る姿勢になると、受圧ユニット４０および第２受圧ユニット２４０の双方で生体信号が検出されるので、管理対象者４がベッド２で座っているのか寝ているのかといった姿勢の状態についても検出することができる。
【０１５５】
そしてこれにより、管理対象者４が部屋に入ってから就床するまでの所要時間あるいは起床してから部屋を出るまでの所要時間を精度良く検出することができ、これにより健康管理等を木目細かく行うことができる。
【０１５６】
その際、第３感圧チューブ２２２の左端部２２２ｂには、その内部空間と外部空間とを連通させる微細な第２貫通孔２３２ａが形成されており、この第２貫通孔２３２ａは第２感圧チューブ２４の左端部２４ｂに形成された微細な貫通孔８２ａの内径よりも大きい内径を有しているので、次のような作用効果を得ることができる。
【０１５７】
すなわち、第３感圧チューブ２２２には第２感圧チューブ２４ほどの感圧性能は要求されないので、このように第２貫通孔２３２ａの内径を大き目に設定しておくことにより、第３感圧チューブ２２２として必要な感圧性能は確保した上で、第２受圧ユニット２４０によってドアの開閉音等を第２空間Ｃ２側から効率良く収音することができる。
【０１５８】
一方、管理対象者４がベッド２において就床状態にあるときには、管理対象者４の体重は感圧ユニット２０と第２感圧ユニット２２０とに分散されるが、第３感圧チューブ２２２の感圧性能を相対的に低下させておくことにより、第３感圧チューブ２２２の内圧変化による影響をほとんど受けることなく、第２感圧チューブ２４の内圧変化によって生体信号を精度良く検出することができる。
【０１５９】
また、第２感圧チューブ２４の左端部２４ｂに形成された貫通孔８２ａは、ドアの開閉音等の収音については考慮する必要がなく、第２感圧チューブ２４の内圧変化による生体信号の検出機能と共にその内部空間の気圧調整機能が確保されていれば足りるので、その内径や長さを適宜調整することによって生体信号の検出精度を高めることができる。
【０１６０】
なお、上記実施形態およびその変形例において諸元として示した数値は一例にすぎず、これらを適宜異なる値に設定してもよいことはもちろんである。
【０１６１】
また、本願発明は、上記実施形態およびその変形例に記載された構成に限定されるものではなく、これ以外の種々の変更を加えた構成が採用可能である。
【符号の説明】
【０１６２】
２  ベッド（寝床）
２ａ  マットレス
２ｂ  柵
４  管理対象者
１０、２１０  生体信号検出装置
２０  感圧ユニット
２２Ｌ  感圧チューブ（左側チューブ）
２２Ｒ  感圧チューブ（右側チューブ）
２２Ｌａ、２２Ｒｂ、２４ａ  右端部
２２Ｌｂ、２２Ｒａ、２４ｂ、２６ｂ、２２２ｂ  左端部
２４  第２感圧チューブ
２６、２１２  連結チューブ
２８、２２４  弾性部材
３０  共通プレート
３０ａ  切欠き部
３２Ｌ、３２Ｒ、３４Ｌ、３４Ｒ  分割プレート
４０  受圧ユニット
４２Ａ、１４２Ａ、２４２Ａ  第１ホルダ
４２Ａａ、２４２Ａａ  マイクロホン支持部
４２Ａｂ、４２Ｂｂ、１４２Ａｂ、２４２Ｂｂ  チューブ連結部
４２Ｂ、１４２Ｂ、２４２Ｂ  第２ホルダ
４４  リードワイヤ
４６、７０  ハンダ
４８  信号ケーブル
４８ａ  導線部
５０、１５０、２５０  マイクロホン
５２  ダイヤフラム
５４、１５４、２５４  ハウジング
５４ａ、１５４ａ  第１収音孔
５４ｂ、２５４ｂ  第２収音孔
５６  支持リング
５８  背面電極板
５８ａ  エレクトレット層
５８ｂ、６２ｂ  貫通孔
６０  スペーサ
６２、８８、２３８  ブッシュ
６２ａ  凹部
６４  インピーダンス変換素子
６４ａ、６４ｂ  端子
６６  導電性カバー
６６ａ  環状折曲部
６８  基板
７２、７４  封止剤
８０、２３０  栓部材
８２、２３２  ニードルパイプ
８２ａ  微細な貫通孔
８４、２３４  栓本体
８４ａ  大径部
８４ｂ  小径部
８６、２３６  チューブ
１００  生体信号検出システム
１０２  信号処理部
１０４  寝返り判定部
１４０、２４０  第２受圧ユニット
２１４、２１６  連結具
２１４Ａ  パイプ
２２０  第２感圧ユニット
２２２  第３感圧チューブ
２２６、２２８  プレート
２３２ａ  微細な第２貫通孔
Ｃ１  第１空間
Ｃ２  第２空間
【図１】
2016179036.tif 000003
【図２】
2016179036.tif 000004
【図３】
2016179036.tif 000005
【図４】
2016179036.tif 000006
【図５】
2016179036.tif 000007
【図６】
2016179036.tif 000008
【図７】
2016179036.tif 000009
【図８】
2016179036.tif 000010
【図９】
2016179036.tif 000011
【図１０】
2016179036.tif 000012
【図１１】
2016179036.tif 000013
【図１２】
2016179036.tif 000014
【図１３】
2016179036.tif 000015
【図１４】
2016179036.tif 000016